(57)【要約】【課題】安全性及び清掃性に優れた歩行型移動農機を提供する。【解決手段】管理機Ａは、エンジン２０の下面にフェンダ１０が備えており、該フェンダ１０は、機体内側に設けられたロータリ爪３１の上方まで延設されている。また、フェンダ１０の上方には、該フェンダ１０から機体左右方向に突出した延長フェンダ１が取付けられている。更に延長フェンダ１の後方には、後方ガード２が連結されており、延長フェンダ１及び後方ガード２によって、ロータリ爪３１は、覆うようにカバーされている。【選択図】図１
2008228626.tif 000002
【特許請求の範囲】
【請求項１】
機体に搭載したエンジンの動力をロータリ部材に伝達し、前記機体から延設されたハンドルを操作しつつ前記ロータリ部材にて作業してなる、歩行型移動農機において、
前記ロータリ部材の上方の前記機体にフェンダを備え、
該フェンダの左右側方に突出して、延長フェンダをそれぞれ取付けてなる、
ことを特徴とする歩行型移動農機。
【請求項２】
前記左右の延長フェンダの後方に、前記ロータリ部材の後方を覆うように後方ガードをそれぞれ取付けてなる、
請求項１記載の歩行型移動農機。
【請求項３】
前記左右の延長フェンダを、前記フェンダの上方又は下方に一体に取付けてなる、
請求項１記載の歩行型移動農機。
【発明の詳細な説明】
【技術分野】
【０００１】
本発明はロータリ耕耘作業や、除草作業等に適した歩行型移動農機に関し、詳しくは、泥土及び石の上方への飛散を防止しするフェンダに関する。
【背景技術】
【０００２】
従来、エンジンからの動力を、ロータリ部材に伝達して耕耘作業、培土作業及び除草作業等に使用されて好適な歩行型移動農機において、エンジンの下面に泥土及び石の飛散を防止するためにフェンダを設けたものが案出されている（特許文献１参照）。
【０００３】
該歩行型移動農機は、フェンダを機体外方に向かって延設することにより、ロータリ部材に跳ね上げられた泥土や石の飛散を防止し、機体の清掃性の向上や、作業者の安全を図っている。
【０００４】
【特許文献１】特開２００１−３２０９０２号公報
【発明の開示】
【発明が解決しようとする課題】
【０００５】
しかし、上記歩行型移動農機は、フェンダの機体外方への突出が不十分であるため、ロータリ部材の外周が露出した状態にあり、ロータリ部材から跳ね上げられた泥土等の飛散を充分に防止することが出来ない。また、ロータリ部材の外周は、カバーに全く覆われていなく、外観にも安全上の課題を有していた。
【０００６】
そこで本発明は、簡単な構成で安全性に優れた歩行型移動農機を提供することを目的とする。
【課題を解決するための手段】
【０００７】
請求項１に係る発明は、機体（２１）に搭載したエンジン（２０）の動力をロータリ部材（３１）に伝達し、前記機体（２１）から延設されたハンドル（１１Ｌ，１１Ｒ）を操作しつつ前記ロータリ部材（３１）にて作業してなる、歩行型移動農機（Ａ）において、
前記ロータリ部材（３１）の上方の前記機体（２１）にフェンダ（１０）を備え、
該フェンダ（１０）の左右側方に突出して、延長フェンダ（１）をそれぞれ取付けてなる、
ことを特徴とする歩行型移動農機にある。
【０００８】
請求項２に係る発明は、前記左右の延長フェンダ（１）の後方に、前記ロータリ部材（３１）の後方を覆うように後方ガード（２）をそれぞれ取付けてなる、
請求項１記載の歩行型移動農機にある。
【０００９】
請求項３に係る発明は、前記左右の延長フェンダ（１）を、前記フェンダ（１０）の上方又は下方に一体に取付けてなる、
請求項１記載の歩行型移動農機にある。
【発明の効果】
【００１０】
請求項１に係る本発明によると、ロータリ部材上方に設けられたフェンダから左右側方へと突出した延長フェンダをそれぞれ取付けることにより、外部に露出したロータリ部材の外周を覆うことができる。それにより、ロータリ部材に跳ね上げられた泥土及び石の飛散をより広範囲で防止することができると共に、外観上にも安全なものとなる。
【００１１】
また、延長フェンダは、ロータリ部材を完全に覆うものではないため、作業者が、ロータリ部材の作業状況を容易に視認出来ると共に、ヒッチへの作業機の取付けを阻害することもない。
【００１２】
請求項２に係る本発明によると、フェンダの左右側方に突出した延長フェンダの後方にロータリ部材の後方を覆うように後方ガードを設けたことにより、ロータリ部材を機体側方のみならず機体後方からも覆うことが可能となり、安全性が向上する。また、後方への泥土及び石の跳ね上がりをも効果的に防止することができる。
【００１３】
請求項３に係る本発明によると、延長フェンダをフェンダ上方もしくは下方に一体に取付けることによって、延長フェンダ及び後方ガードの高さ位置を、作業者の任意によって調整することが可能となる。
【発明を実施するための最良の形態】
【００１４】
以下、本発明に係る歩行型移動農機について図面に基づいて説明する。
【実施例１】
【００１５】
図１乃至図３に示すように、本発明に係る歩行型移動農機としての管理機Ａは、ミッションケース２１（機体）と、該ミッションケース２１に搭載された出力軸３０を駆動させるエンジン２０と、該出力軸３０に設けられたロータリ爪３１（ロータリ部材）と、該ロータリ爪３１の上方において泥土及び石の跳ね上がりを防止するフェンダ１０とを備えている。
【００１６】
機体フレームとして構成されるミッションケース２１は、縦長の略々長方形状の部材であり、上下方向に亘って斜めに傾斜して配設されている。該ミッションケース２１は、上部においてエンジン２０を搭載しており、その側方には、排気ガスを排出するマフラ２５が配設されている。
【００１７】
また、エンジン２０の上方には、大径の燃料キャップ２４を備えた燃料タンク２３が配設されている。該燃料タンク２３は、タンクカバー２２によって覆われており、給油の際に燃料がこぼれても高温のマフラ２５に滴下することがないように構成されている。
【００１８】
上記エンジン２０からの動力は、ミッションケース２１の下端部において機体左右方向に向かって延設される出力軸３０に出力される。該出力軸３０には、軸方向左右側にそれぞれ２つずつロータリ爪３１が設けられており、その最外側には、ロータリディスク３２が配設されている。
【００１９】
更に、ミッションケース２１の上端には、ハンドルフレーム１３が後方上部に向かって設けられており、該ハンドルフレーム１３から左右ハンドル１１Ｌ,１１Ｒが延設されている。左ハンドル１１Ｌには、デッドマンクラッチからなる主変速用クラッチレバー１５が設けられており、右ハンドル１１Ｒには、後進用クラッチレバー１４が設けられている。管理機Ａは、該左右ハンドル１１Ｌ,１１Ｒによって方向操作される。
【００２０】
一方、ミッションケース２１の中途部には、前方ヒッチ３５及び後方ヒッチ３４が取付けられており、後方ヒッチ３４には抵抗棒３３が下方に向けて突設されている。この抵抗棒３３は、土中に没入することによって機体の不用意な移動を抑え、機体を安定して操作することを可能とする。
【００２１】
また、両ヒッチ３５,３４は、フェンダ１０を支承している。エンジン２０の下面に位置する該フェンダ１０は、１枚の板状部材からなり、機体の左右側方において、機体内側のロータリ爪上方近傍まで突出して設けられており、ロータリ爪３１によって上方に跳ね上げられた泥土及び石の飛散を防いでいる。
【００２２】
フェンダ１０には、該フェンダ１０から更に機体外方へと突出した延長フェンダ１が取付けボルト３によって取付けられており、該延長フェンダ１の後方には、連結部２ａ及びガード部２ｂからなる後方ガード２が設けられている。
【００２３】
延長フェンダ１は、略々く字の形状をしており、フェンダ１０に取付けた際に出力軸３０上方にあたる中間部１ａにおいて、最も機体外方に突出するようにカーブを描いて設けられている。また、後方ガード２の連結部２ａが取付けられる延長フェンダ１の後端部１ｂは、横幅を広く設けられている。
【００２４】
該後方ガード２は、連結部２ａを介して延長フェンダ１と一体に連結されており、連結部２ａには、ガード部２ｂが固設されている。該連結部２ａは、上下方向に回動可能であり、延長フェンダ１に対して位置調節可能に設けられている。
【００２５】
また、ガード部２ｂは、略々台形の板状部材であり、その横幅は、連結部２ａよりも幅広に設けられており、連結部２ａよりも機体外方へと突出して設けられている。
【００２６】
なお、ガード部２ｂは、ゴム等からなる可撓性部材によって設けられても良く、後方ガード２は、該ガード部２ｂとロータリ爪３１との接触を防止するため、下方への回動を一定位置において規制されている。
【００２７】
以下、本実施形態に係る歩行型移動農機の作用について説明する。
【００２８】
作業者は、管理機Ａを用いて耕耘作業を行う際、主クラッチレバー１２を操作して主クラッチを断接し、リコイルロープ２６を引き、エンジン２０を始動させる。エンジン２０が始動すると、該エンジンで発生した動力は、ミッションケース２１で変速され、出力軸３０へと出力される。作業者は、左右ハンドル１１Ｌ,１１Ｒを握り、抵抗棒３３を圃場に沈下させると、左ハンドル１１Ｌに設けられた主変速用クラッチレバー１５を握り、出力軸３０に設けられたロータリ爪３１及びロータリディスク３２を回転駆動させ、耕耘作業を行う。
【００２９】
上記のようにフェンダ１０に延長フェンダ１及び後方ガード２を取付けることによって、管理機Ａを旋回させる際、ロータリ爪３１が土中から露出しても、延長フェンダ１及び後方ガード２によってロータリ爪３１がカバーされているため、作業者は、安心して旋回を行うことが出来る。
【００３０】
また、回転したロータリ爪３１によって泥土及び石が上方及び後方に跳ね上がっても、フェンダ１０,延長フェンダ１及び後方ガード２と接触し、周囲への飛散を防止することができる。
【００３１】
更に、延長フェンダ１及び後方ガード２は、ロータリ爪３１の全周を覆っていないため、作業者が管理機Ａの作業状態を確認することを妨げることはなく、作業機を後部ヒッチ３４に取付ける際に取付けの邪魔になることもない。
【実施例２】
【００３２】
図４は、本発明の実施例２に係る歩行型移動農機を示すものである。この実施例は、実施例１における延長フェンダ１及び後方ガード２の形状を変更したものであり、以下に実施例１の構成と相違する部分について説明する。
【００３３】
延長フェンダ１は、略々く字の形状をしており、出力軸３０の上方にあたる中間部１ａにおいて大きく機体外方に突出している。また、該延長フェンダ１は、後方ガード２の連結部２ａが取付けられる後端部１ｂにおいても中間部１ａと同程度、機体外方に突出しており、該後端部１ｂは、機体内側から機体外側に亘って幅広に設けられている。
【００３４】
連結部２ａは、延長フェンダ１の後端部１ｂと同じ幅に設けられている。また、ガード部２ｂは、該連結部２ａとの固設部では、板状の連結部と同幅に構成され、先端部に行くにつれて幅が軽微に狭まる。
【００３５】
上記のように実施例１と比較して幅広に延長フェンダ１の後端部１ｂ及び後方ガード２の連結部２ａを構成したことにより、より安定的にガード部２ｂを固定することが可能となると共に、実施例１の効果を享受することが出来る。
【実施例３】
【００３６】
図５は、本発明の実施例３に係る歩行型移動農機を示すものである。この実施例は、実施例１の後方ガード２の形状を変更したものであり、以下に実施例１又は実施例２の構成と相違する部分について説明する。
【００３７】
延長フェンダ１は、略々く字の形状をしており、出力軸３０の上方の中間部１ａにおいて最も機体外方に突出するようにカーブを描いて設けられている。また、後方ガード２の連結部２ａが取付けられる延長フェンダ１の後端部１ｂは、横幅を広く設けられている。
【００３８】
該連結部２ａは、延長フェンダ１の後端部１ｂと同じ幅に設けられおり、ガード部２ｂは、連結部２ａとの固設部では、板状の連結部と同幅に構成されており、先端部に向かうに従い横幅が略々半分程度まで狭まって構成されている。
【００３９】
上記のように実施例１と比較してより幅広に延長フェンダ１の後端部及び後方ガード２の連結部２ａを構成したと共に、ガード部２ｂを先端に向かうにつれて幅狭に構成したことにより、外観上スリムになると共に、ガード部２ｂに使用される板状部材が少なくなるため、安価に製造することが出来る。また、実施例１の効果を享受することも出来る。
【実施例４】
【００４０】
図６は、本発明の実施例４に係る歩行型移動農機を示すものである。この実施例は、実施例１における延長フェンダ１の形状及び取付け位置を変更したものであり、以下に実施例１の構成と相違する部分について説明する。
【００４１】
延長フェンダ１は、フェンダ１０の下方に取付けボルトによって連結されており、該延長フェンダ１には、取付けボルトが螺合する雌ネジ部（不図示）が設けられている。
【００４２】
上記のように実施例１と比してフェンダ１０の下面に延長フェンダ１を装着したことにより、延長フェンダ１と、ロータリ爪３１との距離を近接させることが可能となり、それにより延長フェンダ１の高さ方向の位置調節をすることができる。また、実施例１の効果を享受することも出来る。
【実施例５】
【００４３】
図７は、本発明の実施例５に係る歩行型移動農機を示すものである。この実施例は、実施例３における延長フェンダ１の形状及び取付け位置を変更したものであり、以下に実施例１の構成と相違する部分について説明する。
【００４４】
延長フェンダ１は、フェンダ１０の下方に取付けボルト３によって連結されており、該延長フェンダ１には、取付けボルト３が螺合する雌ネジ部（不図示）が設けられている。
【００４５】
上記のように実施例３と比してフェンダ１０の下面に延長フェンダ１を装着したことにより、延長フェンダ１と、ロータリ爪３１との距離を近接させることが可能となり、それにより延長フェンダ１の高さ方向の位置調節をすることができる。また、実施例３の効果を享受することも出来る。
【図面の簡単な説明】
【００４６】
【図１】本実施例１に係る歩行型移動農機を後方からみた斜視図。
【図２】本実施例１に係る歩行型移動農機の平面図。
【図３】本実施例１に係る歩行型移動農機の側面図。
【図４】本実施例２に係る歩行型移動農機の後方からみた斜視図。
【図５】本実施例３に係る歩行型移動農機の後方からみた斜視図。
【図６】本実施例４に係る歩行型移動農機の底面図。
【図７】本実施例５に係る歩行型移動農機の後方からみた斜視図。
【符号の説明】
【００４７】
１      延長フェンダ
２      後方ガード
１０    フェンダ
１１Ｒ  右ハンドル
１１Ｌ  左ハンドル
２０    エンジン
３１    ロータリ部材（ロータリ爪）
Ａ      歩行型移動農機（管理機）
【図１】
2008228626.tif 000003
【図２】
2008228626.tif 000004
【図３】
2008228626.tif 000005
【図４】
2008228626.tif 000006
【図５】
2008228626.tif 000007
【図６】
2008228626.tif 000008
【図７】
2008228626.tif 000009